(57)【要約】【解決手段】ネットワークエンティティは、加入者局からのフィードバックに基づいて、基地局から加入者局への、無線チャネルによる送信データレートを規制するように構成されたプロセッサを含む。このフィードバックは、無線チャネル条件に関連しており、プロセッサは更に、無線チャネルによる１又は複数の送信のための代替データレートを決定するように構成されている。【選択図】      図５Ａ
2008529452.tif 000002
【特許請求の範囲】
【請求項１】
加入者局からのフィードバックに基づいて、基地局から前記加入者局への、無線チャネルによる送信データレートを規制するように構成されたプロセッサを備え、
前記フィードバックは、無線チャネル条件に関連しており、
前記プロセッサは更に、前記フィードバックが損傷している場合、前記基地局から前記加入者局への、前記無線チャネルによる１又は複数の送信のための代替データレートを決定するように構成されたネットワークエンティティ。
【請求項２】
前記プロセッサは更に、損傷基準が満足されているかを判定するように構成された請求項１に記載のネットワークエンティティ。
【請求項３】
前記プロセッサは更に、前記損傷基準が満足されているのであれば、前記代替データレートを順方向リンクで送信するように構成された請求項２に記載のネットワークエンティティ。
【請求項４】
前記加入者局との前記無線チャネルをサポートするように構成されたトランシーバを有する前記基地局を備える請求項１に記載のネットワークエンティティ。
【請求項５】
前記フィードバックはデータレート制御（ＤＲＣ）値を含む請求項１に記載のネットワークエンティティ。
【請求項６】
前記ＤＲＣ値は、前記加入者局と通信している複数の基地局からの合計ＤＲＣ値を含む請求項５に記載のネットワークエンティティ。
【請求項７】
前記プロセッサは更に、ＤＲＣ消失を含む１又は複数の基準に基づいて、前記フィードバックが損傷しているかを判定するように構成された請求項５に記載のネットワークエンティティ。
【請求項８】
前記プロセッサは更に、前記ＤＲＣ値に対する復号要件を緩和し、前記ＤＲＣ消失を取り除くことと、結果として得られたＤＲＣ値を前記代替ＤＲＣ値にマップすることとによって前記代替データレートを決定するように構成された請求項７に記載のネットワークエンティティ。
【請求項９】
前記１又は複数の基準は更に、前記加入者局から受信した最後に知られたＤＲＣ値と前記ＤＲＣ消失との間の最小期間を要求する請求項７に記載のネットワークエンティティ。
【請求項１０】
前記プロセッサは更に、前記ＤＲＣ消失と最後の有効なＤＲＣ値との間の最小期間が経過していない場合には、前記ＤＲＣ消失に応じて、前記基地局から前記加入者局への、前記無線チャネルによる送信を抑制するように構成された請求項９に記載のネットワークエンティティ。
【請求項１１】
前記プロセッサは更に、代替ＤＲＣ値を決定し、かつ、前記代替ＤＲＣ値を代替データレートにマップすることによって、前記代替データレートを決定するように構成された請求項５に記載のネットワークエンティティ。
【請求項１２】
前記プロセッサは更に、利用可能な最低のＤＲＣ値を、前記代替ＤＲＣ値として選択するように構成された請求項１１に記載のネットワークエンティティ。
【請求項１３】
前記プロセッサは更に、前記加入者局からの最後に知られたＤＲＣ値を前記代替ＤＲＣ値として選択するように構成された請求項１１に記載のネットワークエンティティ。
【請求項１４】
前記プロセッサは更に、利用可能な最低のデータレートを前記代替データレートとして選択するように構成された請求項５に記載のネットワークエンティティ。
【請求項１５】
前記プロセッサは更に、前記加入者局から受信した最後に知られたＤＲＣ値に対するデータレートを、前記代替データレートとして選択するように構成された請求項５に記載のネットワークエンティティ。
【請求項１６】
前記プロセッサは更に、前記フィードバックが損傷されたたままの状態である間、前記基地局から前記加入者局への１又は複数の送信のための前記代替データレートを漸増的に減少させるように構成された請求項１に記載のネットワークエンティティ。
【請求項１７】
前記プロセッサは更に、前記加入者局からの、前記加入者局の能力に関連する追加フィードバックを監視して、前記基地局からの送信を復号するように構成され、
前記プロセッサは、前記フィードバックが損傷されたままの状態であり、かつ、前記加入者局が送信を復号することができる間、前記基地局から前記加入者局への１又は複数の送信のための前記代替データレートを漸増的に増加させるように構成され、
前記プロセッサは、前記フィードバックが損傷されたままの状態であり、かつ、前記加入者局が送信を復号することができない間、前記基地局から前記加入者局への１又は複数の送信のための前記代替データレートを漸増的に減少させるように構成された請求項１に記載のネットワークエンティティ。
【請求項１８】
前記プロセッサは更に、前記フィードバックが、損傷されたままの状態である間、前記基地局から前記加入者局への１又は複数の送信をマルチパケットフォーマットでフォーマットするように構成された請求項１に記載のネットワークエンティティ。
【請求項１９】
加入者局との無線チャネルをサポートするように構成されたトランシーバと、
前記加入者局からのフィードバックに基づいて、前記加入者局への、無線チャネルによる送信データレートを規制するように構成されたプロセッサとを備え、
前記フィードバックは、無線チャネル条件に関連しており、
前記プロセッサは更に、１又は複数の基準に基づいて、前記フィードバックが損傷しているかを判定し、かつ、前記フィードバックが損傷している場合、前記加入者局への１又は複数の送信のための代替データレートを決定するように構成された基地局。
【請求項２０】
前記フィードバックは、データレート制御（ＤＲＣ）値を含む請求項１９に記載の基地局。
【請求項２１】
前記１又は複数の基準は、ＤＲＣ消失を含む請求項２０に記載の基地局。
【請求項２２】
前記プロセッサは更に、前記ＤＲＣ値に対する復号要件を緩和して、前記ＤＲＣ消失を取り除くことと、結果として得られたＤＲＣ値を前記代替ＤＲＣ値にマップすることとによって前記代替データレートを決定するように構成された請求項２１に記載の基地局。
【請求項２３】
前記１又は複数の基準は更に、前記加入者局から受信した最後に知られたＤＲＣ値と前記ＤＲＣ消失との間の最小期間を要求する請求項２１に記載の基地局。
【請求項２４】
前記プロセッサは更に、前記ＤＲＣ消失と最後の有効なＤＲＣ値との間の最小期間が経過していない場合には、前記ＤＲＣ消失に応じて、前記加入者局への、前記無線チャネルによる送信を抑制するように構成された請求項２３に記載の基地局。
【請求項２５】
前記プロセッサは更に、代替ＤＲＣ値を決定し、かつ、前記代替ＤＲＣ値を代替データレートにマップすることによって、前記代替データレートを決定するように構成された請求項１９に記載の基地局。
【請求項２６】
前記プロセッサは更に、利用可能な最低のＤＲＣ値を、前記代替ＤＲＣ値として選択するように構成された請求項２５に記載の基地局。
【請求項２７】
前記プロセッサは更に、前記加入者局からの最後に知られたＤＲＣ値を前記代替ＤＲＣ値として選択するように構成された請求項２５に記載の基地局。
【請求項２８】
前記プロセッサは更に、利用可能な最低のデータレートを前記代替データレートとして選択するように構成された請求項１９に記載の基地局。
【請求項２９】
前記プロセッサは更に、前記加入者局から受信した最後に知られたＤＲＣ値に対するデータレートを、前記代替データレートとして選択するように構成された請求項１９に記載の基地局。
【請求項３０】
前記プロセッサは更に、前記フィードバックが損傷されたままの状態である間、前記加入者局への１又は複数の送信のための前記代替データレートを漸増的に減少させるように構成された請求項１９に記載の基地局。
【請求項３１】
前記プロセッサは更に、前記加入者局からの、前記加入者局の能力に関連する追加フィードバックを監視して、前記基地局からの送信を復号するように構成され、
前記プロセッサは、前記フィードバックが損傷されたままの状態であり、かつ、前記加入者局が送信を復号することができる間、前記加入者局への１又は複数の送信のための前記代替データレートを漸増的に増加させるように構成され、
前記プロセッサは、前記フィードバックが損傷されたままの状態であり、かつ、前記加入者局が送信を復号することができない間、前記加入者局への１又は複数の送信のための前記代替データレートを漸増的に減少させるように構成された請求項１９に記載の基地局。
【請求項３２】
前記プロセッサは更に、前記フィードバックが損傷されたままの状態である間、前記加入者局への１又は複数の送信をマルチパケットフォーマットでフォーマットするように構成された請求項１９に記載の基地局。
【請求項３３】
加入者局からのフィードバックに基づいて、基地局から前記加入者局への、無線チャネルによる送信データレートを規制する方法を実行するプロセッサによって実行可能な命令からなるプログラムを組み込んだコンピュータ読取可能媒体であって、
前記フィードバックは、無線チャネル条件に関連しており、
前記方法は、
損傷を受けたフィードバックを受け取ることと、
前記損傷を受けたフィードバックに応じて、前記基地局から前記加入者局への１又は複数の送信のための代替データレートを決定することと
を備えるコンピュータ読取可能媒体。
【請求項３４】
前記フィードバックは、データレート制御（ＤＲＣ）値を備え、
前記方法は更に、ＤＲＣ消失を含む１又は複数の基準に基づいて、前記フィードバックが損傷しているかを判定することを備えた請求項３３に記載のコンピュータ読取可能媒体。
【請求項３５】
前記プロセッサは更に、前記ＤＲＣ値に対する復号要件を緩和し、前記ＤＲＣ消失を取り除くことと、結果として得られたＤＲＣ値を前記代替ＤＲＣ値にマップすることとによって前記代替データレートを決定するように構成された請求項３４に記載のコンピュータ読取可能媒体。
【請求項３６】
前記１又は複数の基準は更に、前記加入者局から受信した最後に知られたＤＲＣ値と前記ＤＲＣ消失との間の最小期間を要求する請求項３４に記載のコンピュータ読取可能媒体。
【請求項３７】
前記フィードバックは、データレート制御（ＤＲＣ）値を備え、
前記代替データレートは、代替ＤＲＣ値を選択し、かつ、前記代替ＤＲＣ値を前記代替データレートにマップすることによって決定される請求項３３に記載のコンピュータ読取可能媒体。
【請求項３８】
前記代替ＤＲＣ値は、利用可能な最低のＤＲＣ値である請求項３７に記載のコンピュータ読取可能媒体。
【請求項３９】
前記代替ＤＲＣ値は、前記加入者局から受信した最後に知られたＤＲＣ値である請求項３７に記載のコンピュータ読取可能媒体。
【請求項４０】
前記代替データレートは、利用可能な最低のデータレートであると判定される請求項３３に記載のコンピュータ読取可能媒体。
【請求項４１】
前記代替データレートは、前記加入者局への送信のために最後に知られたデータレートであると判定される請求項３３に記載のコンピュータ読取可能媒体。
【請求項４２】
前記フィードバックが損傷されたままの状態である間、前記加入者局への全ての送信を、マルチパケットフォーマットでフォーマットすることを更に備える請求項３３に記載のコンピュータ読取可能媒体。
【請求項４３】
加入者局からのフィードバックに基づいて、基地局から前記加入者局への、無線チャネルによる送信データレートを規制する方法であって、前記フィードバックは、無線チャネル条件に関連しており、
前記方法は、
損傷を受けたフィードバックを受け取ることと、
前記損傷を受けたフィードバックに応じて、前記基地局から前記加入者局への１又は複数の送信のための代替データレートを決定することと
を備える方法。
【請求項４４】
損傷基準が満足されているかを判定することを更に備える請求項４３に記載の方法。
【請求項４５】
前記損傷基準が満足されているのであれば、前記代替データレートを順方向リンクで送信することを更に備える請求項４４に記載の方法。
【請求項４６】
前記損傷基準が満足されているかを判定するステップは、損傷を受けた複数のフィードバックが発生したかを判定することを備える請求項４５に記載の方法。
【請求項４７】
前記代替データレートを決定するステップは、
利用可能な最低のＤＲＣ値を選択することと、
前記利用可能な最低のＤＲＣ値をデータレートへマッピングすることと
を備える請求項４５に記載の方法。
【請求項４８】
前記代替データレートを決定するステップは、有効なＤＲＣ値から導出される最後のデータレートを選択することを備える請求項４５に記載の方法。
【請求項４９】
加入者局からのフィードバックに基づいて、基地局から前記加入者局への、無線チャネルによる送信データレートを規制する手段であって、
前記フィードバックは、無線チャネル条件に関連しており、
前記手段は、
損傷を受けたフィードバックを受け取る手段と、
前記損傷を受けたフィードバックに応じて、前記基地局から前記加入者局への１又は複数の送信のための代替データレートを決定する手段と
を備える手段。
【請求項５０】
損傷基準が満足されているかを判定する手段を更に備える請求項４９の記載のデータレート規制手段。
【請求項５１】
前記損傷基準が満足されているのであれば、前記代替データレートを順方向リンクで送信する手段を更に備える請求項５０の記載のデータレート規制手段。
【請求項５２】
前記損傷基準が満足されているかを判定する手段は、損傷を受けた複数のフィードバックが発生したかを判定する手段を備える請求項５１の記載のデータレート規制手段。
【請求項５３】
前記代替データレートを決定する手段は、
利用可能な最低のＤＲＣ値を選択する手段と、
前記利用可能な最低のＤＲＣ値をデータレートへマッピングする手段と
を備える請求項５１の記載のデータレート規制手段。
【請求項５４】
前記代替データレートを決定する手段は、有効なＤＲＣ値から導出される最後のデータレートを選択する手段を備える請求項５１の記載のデータレート規制手段。
【発明の詳細な説明】
【技術分野】
【０００１】
本開示は、一般に、通信に関し、特に、チャネル条件に関連するフィードバックに基づいて、無線通信ネットワークにおける送信データレートを制御することに関する。
【背景技術】
【０００２】
無線通信ネットワークでは、受信機及び送信機は、互いに制御情報を共有する。しばしば、この制御情報は、送信をスケジュールするために、及び／又は、送信パラメータを決定するために使用される。１つの例は、加入者局からネットワークへ送られるデータレート要求である。その要求は、加入者局への送信用のデータレートを制御するためにネットワークによって使用される。ネットワークが、この要求を高い信頼性で受信することができなければ、ネットワークは、リソースを割り当てうるか、及び／又は、準最適な送信パラメータを決定しうる。従って、そのように受信された制御情報の信頼性を改善する方法及び装置に対するニーズが存在する。
【発明の開示】
【０００３】
（３５  Ｕ．Ｓ．Ｃ．§１１９の下の優先権主張）  
本特許出願は、２００５年２月１日に出願され、「基地局におけるチャネル状態フィードバック信号消失マッピングのための方法及び装置」（Method and Apparatus for Channel State Feedback Signal Erasure Mapping at Base Station）と題され、本願の譲受人に譲渡され、本明細書に明確に組み込まれている仮出願６０／６４９，３６０の優先権を主張する。
【０００４】
ネットワークエンティティの１つの局面が開示される。ネットワークエンティティは、加入者局からのフィードバックに基づいて、基地局から加入者局への、無線チャネルによる送信データレートを規制するように構成されたプロセッサを含む。このフィードバックは、無線チャネル条件に関連しており、プロセッサは更に、フィードバックが損傷を受けた場合、基地局から加入者局への、無線チャネルによる１又は複数の送信のための代替データレートを決定するように構成されている。
【０００５】
基地局の１つの局面が開示される。基地局は、加入者局との無線チャネルをサポートするように構成されたトランシーバと、加入者局からのフィードバックに基づいて、加入者局への、無線チャネルによる送信データレートを規制するように構成されたプロセッサとを含む。このフィードバックは、無線チャネル条件に関連しており、プロセッサは更に、１又は複数の基準に基づいて、フィードバックが損傷を受けたかを判定し、もし損傷していると判定した場合には、加入者局への１又は複数の送信のための代替データレートを決定する方法を適用するように構成されている。
【０００６】
ネットワークエンティティの種々な局面は、加入者局からのフィードバックに基づいて、基地局から加入者局への、無線チャネルによる送信データレートを規制する方法を実施するプロセッサによって実行することが可能なプログラム命令を備えるコンピュータ読取媒体に組み込まれうる。このフィードバックは、無線チャネル条件に関連している。この方法は、損傷したフィードバックを受け取ることと、損傷したフィードバックに応じて、基地局から加入者局への１又は複数の送信のための代替データレートを決定することとを含む。
【０００７】
加入者局からのフィードバックに基づいて、基地局から加入者局への、無線チャネルによる送信データレートを規制する方法の局面が開示される。フィードバックは、無線チャネル条件に関連している。この方法は、損傷を受けたフィードバックを受け取ることと、損傷を受けたフィードバックに応じて、基地局から加入者局への１又は複数の送信のための代替データレートを決定することとを含む。
【発明を実施するための最良の形態】
【０００８】
無線通信ネットワークでは、基地局から加入者局への送信の信頼性は、ビットが送信される速度（データレート）と送信電力とに依存する。明らかに、最も信頼性の高い送信は、基地局が、利用可能な最大の送信電力と、最も低いデータレートとを利用する場合に生じるだろう。これは、信頼性の観点からは良好であるが、低いデータレートを用いることは、１つの基地局によってサービス提供される加入者の数を制限し、また、これら加入者が所定の期間内に潜在的にダウンロードできるデータ量を制限するので望ましくない。
【０００９】
従って、ほとんどの無線ネットワークは、パフォーマンスとコストとの間のトレードオフ又は妥協に至るために、送信電力及び／又はデータレートを変える。１つの例は、ＣＤＭＡ２０００  １ｘＥＶ−ＤＯとしても知られている米国電気通信工業会（ＴＩＡ）規格"cdma2000 High Rate Packet Data Air Interface Specification"、ＴＩＡ／ＥＩＡ／ＩＳ−８５６に記述されている高データレート（ＨＤＲ）システムである。ＩＳ−８５６システムは、以下の方法で、パフォーマンスとコストとを調和させる。基地局が、フル電力で送信し、チャネル条件に応じてデータレートを調節する。チャネル条件は、短期間フェージング、シャドウイング、及びその他の電磁気信号伝搬現象のような特性に関連する。チャネル条件は、雑音、誤り率、信号強度、及びその他の信号特性の形態で、それら自身を基地局において明らかにする。
【００１０】
チャネル条件は、加入者局がデータを受信するデータレートに影響する。１つの実施形態では、加入者局は、チャネル条件に関連するフィードバックを基地局に与える。そのようなフィードバックは、チャネル条件の測定値でありうる。又は、チャネル条件に基づいて計算されたデータレートでありうる。加入者局は、この測定値及び／又は履歴値を用いて、将来のチャネル条件を推定又は予測する。
【００１１】
ＩＳ−８５６システムでは、各加入者局は、データレート制御（ＤＲＣ）チャネルに関するチャネル条件に関連するフィードバックを基地局へ与える。このフィードバックは、「ＤＲＣ値」、「ＤＲＣ信号」、「ＤＲＣインデクス」等と称される。ＤＲＣ値及びＤＲＣチャネルの内容、フォーマット、用途、及びその他の詳細は、例えばＩＳ−８５６規格書のような参考文献で説明されている。規格ＩＳ−８５６−リリース０、及びＩＳ−８５６−改訂Ａは、各ＤＲＣ値と、１又は複数の互換データレートとの間の予め設定されたマッピングを定義する。このマッピングは、ネットワーク及び加入者局に対して集中的に利用可能であるか、あるいは、１又は複数のネットワークエンティティ、及び／又は、加入者局へローカルに組み込まれうる。ネットワークは、基地局から特定の加入者局への順方向リンクによる送信のために、互換性のあるデータレートを選択するために加入者局のＤＲＣ値を用いる。同様に、加入者局は、基地局からの将来の順方向リンク送信が、加入者局の最後に送信されたＤＲＣ値と互換性を持つデータレートのうちの１つを利用するであろうことを予測する。
【００１２】
あるチャネル条件の下では、加入者局から基地局へのフィードバックは、損傷を受けた状態になりうる。ＩＳ−８５６システムでは、この損傷を受けたフィードバックは、ＤＲＣ消失の形をとる。「ＤＲＣ消失」は、基地局が、加入者局のＤＲＣ値を適切に受信できない場合に生じる。「ＤＲＣ消失」は、誤っているか、曖昧か、失われたか、そうでなければ無効であるＤＲＣ値を称する。この場合、加入者局は、基地局からの将来の送信は、基地局が最も最近に送信した（が失敗した）ＤＲＣ値に適切なデータレートで行われるであろうことを期待している。しかしながら、加入者局の最も最近のＤＲＣ値を欠くことは、ネットワークが、最適なデータレート、又は、加入者局によって期待された（すなわち、要求された）データレートを選択することを阻止する。基地局が、誤ったデータレートを使用すると、加入者局は、基地局の送信を適切に受信及び復号できないだろう。ＩＳ−８５６加入者局は、基地局データレートの盲目的な検出を試みない。
【００１３】
前述の状況では、基地局から加入者局への送信は失敗するかもしれない。それは、加入者局が基地局と適切に通信することを阻止し、更に、帯域幅、バッテリ電源、及び時間を犠牲にしてＤＲＣ値を再送信することを加入者局に要求することによって通信を遅らせるので望ましいことではない。ＤＲＣ消失は、遅延に敏感なアプリケーションや浪費された帯域幅のために、より高く、かつ許容できないレイテンシに至るので、望ましいことではない。
【００１４】
（ハードウェア環境）  
図１は、無線通信ネットワーク１００の一例を示す機能ブロック図である。１つの実施形態では、ネットワーク１００は、ＴＩＡ  ＩＳ−８５６リリース０あるいはＴＩＡ  ＩＳ−８５６改訂Ａタイプネットワークのような高データレート（ＨＤＲ）無線ネットワークとして実施されうる。この種のネットワークは、例えば、電子メールを受信し、インターネットをサーフィンし、他のデータを交換する無線加入者局に役立つ。更に、ネットワーク１００は、ＴＩＡ規格ＩＳ−９５に従って無線セルラ電話として実施されうる。ＩＳ−９５規格は、初期の無線通信技術よりもより高い容量及びよりロバストなパフォーマンスで音声コールを無線実施するために、符号分割多元接続（ＣＤＭＡ）変調技術を利用する。
【００１５】
様々な加入者局１１４が、ネットワーク１００を介してローミングすることが示されている。加入者局１１４は、無線電話、ラップトップコンピュータ、携帯情報端末（ＰＤＡ）、データトランシーバ、モデム、ページャ、カメラ、ゲーム機、あるいは他の適切なモバイル通信デバイスでありうる。加入者局１１４は、当業者によって、ハンドセット、無線通信デバイス、ユーザ端末、アクセス端末、ユーザ機器、移動局、移動車、加入者ユニット、移動無線、無線電話、無線局、無線デバイス、あるいはその他の幾つかの用語を用いて称されうる。本開示全体にわたって記載された様々な概念は、それらの特定の命名に関わらず、全ての無線通信デバイスに当てはまるように意図される。
【００１６】
図１に示すように、電話コール及び他の通信は、無線周波数（ＲＦ）電磁気信号チャネル１１２Ａを介して加入者局１１４Ａと基地局１１０Ａとの間でデータを交換することによって行われる。ＨＤＲの記載では、ＨＤＲ通信は、インターネット１０１、又は例えば企業ネットワークやその他のクローズドネットワークのようなパケットデータネットワーク（図示せず）へ中継するために、加入者局１１４Ｂと基地局１１０Ｂとの間でインターネットプロトコル（ＩＰ）パケットデータを交換することによって行われる。パケットデータの一例は、ウェブページにアクセスすることや、電子メールを検索することのようなアプリケーションのために使用されるＩＰデータグラムを含む。そのようなパケットデータアプリケーションは、加入者局１１４Ｂ上で直接動作するかもしれない。あるいは、加入者局１１４Ｂを無線モデムとして使用する個別のコンピュータデバイス上で動作しうる。図１に示すように、加入者局１１４Ｂは、ＲＦ電磁気信号チャネル１１２Ｂを介して無線ネットワーク１００とパケットデータを通信する。
【００１７】
加入者局１１４は、加入者局１１４と音声及び／又はパケットデータコンテンツを交換する様々な基地局１１０によってサービス提供される。一例として、基地局１１０は、加入者局１１４への音声信号を中継する。基地局１１０は更に、加入者局１１４と、コールページングメッセージ、発信メッセージ、登録メッセージ、パイロット信号報告、及びその他のメッセージ種類のような他の種類の情報を交換する。基地局１１０のうちの幾つかあるいは全ては、今日、商業用途の従来の基地局によって使用されるようなハードウェアを用いて実施されうる。
【００１８】
ネットワーク１００の１つの実施形態では、各基地局１１０は、基地局１１０Ａに関連して例示されたマッピングツール２２７のようなマッピングツールへのアクセスを有する。マッピングツール２２７は、基地局１１０ＡがＤＲＣ値を入力し、かつ互換性をもつデータレートを受信するメカニズムを提供する。言い換えれば、このマッピングツールは、ＤＲＣ値と、これらＤＲＣ値に割り当てられたデータレートとを変換する予め指定された割当マトリクスを提供する。ＤＲＣ値と、互換性をもつデータレートとの関係は、ネットワーク１００の設計によって構築される。そして、（一例として）共有された中央マッピングツール２２７を更新することによって、あるいは、（別の例として）ローカルマッピングツール２２７へ更新を伝えることによって変更されうる。
【００１９】
更に詳細な例として、マッピングツール２２７は、ＤＲＣ値と、互換性のあるシングルユーザパケット送信フォーマットとの間の１つのマッピングと、ＤＲＣ値と、互換性のあるマルチユーザパケット送信フォーマットとの間の別のマッピングとを提供する。シングルユーザパケット送信、及び、マルチユーザパケット送信を、以下により詳細に示す。
【００２０】
いくつかの例を提供するために、マッピングツール２２７は、適切なリレーショナルデータベース、ルックアップテーブル、リンクリスト、インデクス、又は他のデータ構造を含みうる。マッピングツール２２７は、計算機、回路、ソフトウェアルーチン、ファームウェア、あるいは計算機読取可能記憶装置に含まれたデータ構造、又は別のデバイスとして実施されうる。一例では、マッピングツール２２７は、直接的な電気接続、インターネット、無線周波数リンク、公衆交換電話網（ＰＳＴＮ）、又はその他の接続によって基地局１１０Ａにアクセスすることが可能な（意図した制限なく図１に示すような）スタンドアロンデバイスでありうる。この例では、基地局１１０によってアクセス可能な多くのマッピングツール、あるいは、全ての基地局１１０へアクセス可能な中央マッピングツールが存在しうる。別の例では、２２７のようなマッピングツールが、例えば基地局１１０Ａのような対応する基地局１１０へ統合されうる。
【００２１】
各基地局１１０は、基地局コントローラ（ＢＳＣ）１０６に接続されている。これは、基地局１１０と、様々なネットワーク設備１０４（後述する）との間の２方式情報フローを実施する。ＢＳＣ１０６は、モバイル通信を可能にする様々な機能を実行する。これは、基地局１１０間での加入者局１１４のハンドオフを調整することを含む。ＩＳ−８５６可能なネットワークでは、ＢＳＣ１０６は、基地局１１０とＩＰデータパケットを交換するパケット制御機能（ＰＣＦ）モジュール（図示せず）を含みうる。各ＢＳＣ１０６は、例えば、今日商業利用されている従来の無線ネットワーク１００によって使用されているようなハードウェアを用いて実施されうる。
【００２２】
ネットワーク１００の代替実施形態では、マッピング機能は、ＢＳＣ１０６によって実施されうる。ＢＳＣにおいて、データレートにＤＲＣ値をマップすることによって、複数の基地局１１０と通信している加入者局１１４は、貧弱なチャネル条件の間、改善されたパフォーマンスを経るかもしれない。この実施形態では、加入者局１１４によって生成され、複数の基地局１１０へ送信されたＤＲＣ値が、ＢＳＣ１０６において結合されうる。ＤＲＣ値が結合される方法は、システムに課された特定のアプリケーション及び設計制約全体に依存して変わりうる。一例として、ＢＳＣ１０６は、データレートにマップする複数のＤＲＣ値のうちの１つを選択しうる。言い換えれば、ＢＳＣが、他の基地局１１０から利用することができるＤＲＣ値を持っているのであれば、１つの基地局１１０からのＤＲＣ消失は、システムパフォーマンスに関し最小のインパクトで済むだろう。あるいは、ＢＳＣ１０６は、信頼性を増加させるために、複数の基地局１１０からのＤＲＣ値の信号エネルギーを結合しうる。その後、この結合されたＤＲＣ値は、マッピングツール２２７へ提供され、複数の基地局１１０から加入者局１１４への順方向リンク送信用のデータレートが決定される。各ＢＳＣ１０６は、ＢＳＣ１０６の統合コンポーネント又はスタンドアロンデバイスとして実現される専用マッピングツール３１２を有しうる。あるいは、中央マッピングツール３１２が、複数のＢＳＣ１０６に与えられうる。（図３に示すような）中央マッピングツール３１２は、ＢＳＣ１０６又はその他のネットワークエンティティに組み込まれたスタンドアロンデバイスであるか、あるいは、複数のネットワークエンティティの間に分散されうる。
【００２３】
上述したように、ＢＳＣ１０６は、基地局１１０と、ネットワーク設備１０４との間の情報フローを提供する。ネットワーク設備１０４は、例えば、モバイル交換局（ＭＳＣ）、モバイル電話交換オフィス（ＭＴＳＯ）のようなコンポーネントを含みうる。ＭＳＣコンポーネントは、例えば、ＢＳＣ１０６とＰＳＴＮ１０５との間で音声ストリーム情報を中継する。ＭＳＣは、モビリティ制御、コール処理、及び、コールルーティング機能を提供するように動作する。一例として、データサービスインターワーキング機能（ＩＷＦ）（図示せず）が、ＰＳＴＮ１０５にネットワーク設備１０４を接続するために使用されうる。
【００２４】
ＨＤＲ情報（ＩＳ−８５６タイプシステムのような）に関して、ネットワーク設備１０４は、１又は複数の外部エージェントのようなコンポーネントをも含みうる。この状況では、ネットワーク設備１０４は、ＢＳＣ１０６と１又は複数のホームエージェント１０２との間でリンク１０３を経由してＩＰデータを交換する。なお、リンク１０３は、無線又は有線によるＴ１リンク又はＴ３リンク、光ファイバ接続、イーサネット（登録商標）、又はその他のＩＰ接続を含む。ホームエージェント１０２はまた、インターネット１０１にも接続されている。
【００２５】
図２は、無線通信ネットワーク１００における基地局１１０と加入者局１１４との例を示す機能ブロック図である。加入者局１１４は、基地局１１０からの信号送信をトランシーバ２０４に送るアンテナ２０２を含む。トランシーバ２０４は、この信号送信をフィルタし、増幅し、ベースバンドへ変換する。このベースバンド信号は、結果として得られるデータがユーザインタフェース２０９へ与えられる前に、復調器２０６及びデコーダ２０８によって処理される。アクノレッジメント（ＡＣＫ）ベースのプロトコルが、デコーダ２０８によって使用され、基地局１１０へフィードバックが提供されることにより、この信号送信が、加入者局１１４において適切に復号されたかが示される。
【００２６】
順方向リンク送信に埋め込まれていたパイロット信号を使用して、加入者局１１４によってチャネル条件が推定されうる。このパイロット信号は符号化されないので、復調器２０６からチャネル推定器２１０へと直接的に提供される。このパイロット信号は既知であるので、事前に、加入者局１１４内のメモリ２１２に複製が格納される。メモリ２１２に格納されたパイロット信号の複製、及び、受信されたパイロット信号に基づいて、チャネル推定器２１０は、順方向リンクのチャネル条件に関連するフィードバックを、基地局１１０に提供することができる。このフィードバックは、信号対干渉及び雑音比（ＳＩＮＲ）、キャリア対干渉比（Ｃ／Ｉ）、ビット毎エネルギー対雑音比（Ｅｂ／Ｉｏ）、あるいはその他任意のタイプの適切な数的指標の形態をとりうる。このフィードバックは量子化され、ＤＲＣ値にマップされ、変調器２１６に提供される。スペクトラム拡散処理を用いることにより、変調器２１６は、ユーザインタフェース２０９からの符号化データ、チャネル推定器２１０からのＤＲＣ値、及び、デコーダ２０８からのＡＣＫ／ＮＡＫメッセージを適切なチャネルに渡し、それらを、アンテナ２０２を介した基地局１１０への逆方向リンクによる送信のためにトランシーバ２０４へ提供する。
【００２７】
チャネル推定器２１０からのＤＲＣ値と、デコーダ２０８からのＡＣＫメッセージとは、各時間スロットにおいてエンコーダ２１４へ提供されうる。１ｘＥＶ−ＤＯ（改訂Ａ）では、順方向リンク送信が、それぞれが１６の１．２５ミリ秒（ｍｓ）の時間スロットを有する２０ミリ秒（ｍｓ）のフレームに分割される。代替実施形態は、予め定めたコール／アンサー関係、定められた時間スケジュール、又はその他の構成に従うような他のスキームを使用しうる。様々なＤＲＣ値のフォーマット、コンテンツ、及び重要性は、一例として、（１）３ＧＰＰ２組織によって準備された「ｃｄｍａ２０００高レートパケットデータエアーインタフェース仕様」（３ＧＰＰ２  Ｃ．Ｓ００２４−Ａ）、（２）ＣＤＭＡ２０００  １ｘＥＶ−ＤＯとしても知られているＴＩＡ標準ＩＳ−８５６、に示すマテリアルのうちの１又は複数で記載されたＤＲＣ値である関連技術で既に知られている。
【００２８】
加入者局１１４からの逆方向リンク信号送信は、基地局１１０においてアンテナ２１８によって受信され、トランシーバ２２０に提供される。トランシーバ２２０は、この信号送信をフィルタし、増幅し、ベースバンドへダウンコンバートする。ベースバンド信号は、復調器２２２によって処理され、デコーダ２２４に与えられる。デコーダ２２４は、この信号を処理し、ライントランシーバ２２５を介してＢＳＣ１０６（図示せず）へデータを提供するとともに、ＤＲＣ値及びＡＣＫ／ＮＡＣＫメッセージをコントローラ２２６へ提供する。
【００２９】
コントローラ２２６は、ＤＲＣ値を、互換性のあるデータレートへ、ある場合には、データパケットフォーマットへ変換するためにマッピングツール２２７を利用する。ＩＳ−８５６  １ｘＥＶ−ＤＯ（リリース０）の場合、各ＤＲＣ値と、対応するデータレートとの間に１対１のマッピングが存在する。規格ＩＳ−８５６  １ｘＥＶ−ＤＯ（改訂Ａ）の場合、各ＤＲＣ値は、複数のデータレートへマップされるが、この規格は、１対１のマッピングを完全に達成するために、単一の互換性のあるデータレートの選択に関する詳細な命令を与える。ＤＲＣ消失の場合には、コントローラ２２６が、代替データレートを選択する方法を起動する。代替データレートは、後述する多くの例を有する様々な方法で選択されうる。
【００３０】
エンコーダ２２８は、ライントランシーバ２２５によってＢＳＣ１０６（図示せず）から受信されたデータについて様々な信号処理機能を行なう。これら信号処理機能は、コントローラ２２６によって設定されたデータレート及びデータパケットフォーマット（例えば単一パケットフォーマットあるいは複数パケットフォーマット）において行なわれる。符号化された信号は、フィルタリング、増幅、及び、アンテナ２１８を介した加入者局１１４への順方向リンク送信に適切な周波数へのアップコンバートのために、トランシーバ２２０へ送られる前に、更なる処理のために変調器２３０へ与えられる。
【００３１】
図３は、無線通信ネットワーク１００におけるＢＳＣ１０６と基地局１１０との一例を示す機能ブロック図である。この例において、ＢＳＣ１０６は、１又は複数の基地局１１０からの順方向リンク送信のためのデータレート及びデータパケットフォーマットを決定する。説明を簡単にするために、１つのみの基地局１１０が示される。ＢＳＣ１０６は、ライントランシーバ３０２，２２５をそれぞれ用いて基地局１１０と通信する。図３には簡素化のために１つしか示されていないが、ＢＳＣ１０６はまた、多くのセレクタ要素３０４を含む。１つのセレクタ要素３０４は、１又は複数の基地局１１０と加入者局１１４との間の通信を制御するために割り当てられる。セレクタ要素３０４が、加入者局１１４に割り当てられていない場合、コール制御プロセッサ３０６が、加入者局１１４へページするように基地局１１０に命令する。セレクタ要素３０４は、ネットワークインタフェース又はモデム３０８を通じて、様々なネットワーク設備（図示せず）とインタフェースする。
【００３２】
ネットワーク１００のこの実施形態では、ＤＲＣ値は、セレクタ要素３０４において、復号されたデータストリームから復元され、ＤＲＣ結合ブロック３１０に与えられる。ＤＲＣ結合ブロック３１０の出力は、マッピングツール３１２に提供され、結合されたＤＲＣ値が、対応するデータレート及びデータパケットフォーマットに変換される。データレート及びデータパケットフォーマットは、適切な基地局１１０へ戻されるために、ＢＳＣ１０６内のセレクタ要素３０４へ提供される。図３に示す構成では、データレート及びデータパケットフォーマットがセレクタ要素３０４に提供される。一方、セレクタ要素３０４は、この情報を、基地局１１０内のコントローラ２２６へ送る。
【００３３】
図４は、基地局１１０のハードウェア構成を例示するブロック図である。基地局１１０は、システムバス４０４を経由して多くのデバイスと通信するプロセッサ２２６を含んでいる。プロセッサ２２６は、ハードウェア、ソフトウェア、ファームウェア、あるいはこれらの任意の組み合わせで実現される１又は複数の処理エンティティでありうる。一例として、プロセッサ２２６は、多くのソフトウェアアプリケーションをサポートするマイクロプロセッサで実現されうる。これらソフトウェアアプリケーションのうちの１又は複数は、コントローラの機能（図２参照）と同様に、変調、復調、符号化、及び復号のような様々な信号処理機能を実施するために使用されうる。コントローラ機能をサポートするソフトウェアアプリケーションは、マッピングツール２２７にアクセスするために、アプリケーションプログラムインタフェース（ＡＰＩ）、又はその他幾つかのインタフェースを含みうる。プロセッサ２２６の代替実施形態では、マイクロプロセッサは、デジタル信号プロセッサ（ＤＳＰ）、又はその他幾つかの処理エンティティに対する１又は複数の信号処理機能の負荷を下げるかもしれない。
【００３４】
基地局１１０はまた、プロセッサ２２６のためのソフトウェアアプリケーションを格納するコンピュータ読取可能媒体４０６を含みうる。コンピュータ読取可能媒体４０６は、１又は複数のエンティティで実現されうる。一例として、コンピュータ読取可能媒体４０６は、不揮発性メモリ及び揮発性メモリでありうる。不揮発性メモリは、ダイレクトアクセスストレージ（例えば、従来のハードドライブ、レイド（ＲＡＩＤ）、又は他のダイレクトアクセスストレージデバイス（ＤＡＳＤ））、磁気テープ又は光学テープのようなシリアルアクセスストレージ、電子非揮発性メモリ（例えば、ＲＯＭ、ＥＰＲＯＭ、フラッシュＰＲＯＭ、又はＥＥＰＲＯＭ）、バッテリバックアップＲＡＭ、光記憶装置（例えば、ＣＤ−ＲＯＭ、ＷＯＲＭ、ＤＶＤ、デジタル光学テープ）、パンチカード、あるいはその他の適切なコンピュータ読取可能媒体で実現されうる。基地局１１０が動作中の場合、ソフトウェアアプリケーションは、プロセッサ２２６による高速アクセスのために、非揮発性メモリから高速揮発性メモリにロードされうる。揮発性メモリは、ＲＡＭ、ＳＲＡＭ、ＳＤＲＡＭ、あるいはその他の高速揮発性メモリで実現されうる。また、プロセッサ２２６によるメモリアクセス速度を上げるために、キャッシュが使用される。プロセッサ２２６はまた、キャッシュ、命令レジスタ、一般ファイルレジスタ等のようなテンポラリストレージを含みうる。当業者であれば、用語「コンピュータ読取可能媒体」が、プロセッサ２２６によってアクセス可能な任意のタイプの記憶デバイスを含み、データ信号を符号化するキャリア波を含むことを認識するであろう。
【００３５】
ソフトウェアベースのアーキテクチャに対する代替例として、プロセッサ２２６は、ロジックを用いて実現されうる。速度、費用、ツール費用等におけるアプリケーションの特定の要求に依存して、このロジックは、特定用途向けＩＣ（ＡＳＩＣ）、フィールドプログラム可能なゲートアレイ（ＦＰＧＡ）、プログラマブルロジックアレイ（ＰＬＡ）、プログラマブル論理回路（ＰＬＤ）、ディスクリートゲート又はトランジスタロジック、ディスクリートハードウェアコンポーネント、あるいはそれらの任意の組み合わせで実現されうる。
【００３６】
基地局１１０また、様々なインタフェースを含みうる。無線トランシーバ２２０は、その有効範囲領域において、各加入者局１１４とのエアインタフェースをサポートするために使用されうる。ライントランシーバ２２５は、基地局１１０をＢＳＣ１０６へインタフェースするために使用されうる。
【００３７】
基地局１１０が実現される方法は、特定のアプリケーション、及び、システム全体に課された設計制約に依存するだろう。当業者であれば、これら環境下におけるハードウェア構成、ファームウェア構成、及びソフトウェア構成は置き換え可能であり、特定のアプリケーションそれぞれのために記載された機能をどのようにして最良に実現するかを認識するであろう。
【００３８】
（動作環境）  
図５Ａは、基地局又は他の任意のネットワークエンティティによって実施される方法５００の例を示す。説明を容易にするために、意図した限定なく、図５Ａの例は、上述した図１に関連して記載されている。この例では、方法５００は、基地局の各々によって実施される。
【００３９】
一般に、方法５００の１つの実施形態によれば、基地局１１０は、加入者局１１４からの各ＤＲＣ値を評価して、それが消失されているのかを判定する。ＤＲＣ値が消失されているのであれば、基地局１１０は、（適切なデータレート選択に使用するために）代替ＤＲＣ値を決定する方法を用いる。あるいは、別の実施形態では、基地局１１０が、代替データレートを直接的に決定する。ＤＲＣ値が消失されておらず、ＤＲＣ値が有効であれば、基地局１１０は、適切なデータレートを選択する際に、この有効なＤＲＣ値を使用する。
【００４０】
基地局１１０は、ネットワーク１００内の基地局１１０が通信している全ての加入者局１１４のそれぞれのために、あるいは、加入者局１１４のその他任意の考えられる限りのグループのために、方法５００を個別に実行しうる。更に、基地局１１０が、特定された加入者局１１４のうちの１つからＤＲＣ値を受け取ることを期待する場合にのみ方法５００は開始される。言い換えれば、方法５００は、各「ＤＲＣ長さ」、すなわち、ＤＲＣ値間の期間に対して一度のみ実行される。ＤＲＣ値を受信するという基地局１１０の期待は、予め定めたスケジュール、周期性、コール／アンサープロトコル、又はその他の基準に基づきうる。
【００４１】
別の考察として、基地局１１０が加入者局１１４に対する任意のデータペンディング送信を含む場合に対して、その加入者局１１４に関連する方法５００のパフォーマンスを制限しうる。この実施形態では、方法５００を開始することは、更に、基地局１１０が加入者局１１４のためのペンディングデータを持っていないのみならず、そのようなデータが、予め定めた最小時間長さの間、基地局１１０の送信キュー内にある場合に限られうる。
【００４２】
更に、別の考察として、基地局１１０は、ボイスオーバインターネットプロトコル（ＶｏＩＰ）データのような、ある予め定めた時間クリティカルデータのクラスの送信に、方法５００のパフォーマンスを制限しうる。
【００４３】
この方法５００は今、図５Ａに関して議論される。ステップ５０１では、フィードバックが受け取られる。ステップ５０２では、基地局１１０がＤＲＣ値を評価して、ＤＲＣ消失が生じたのかを判定する。ＤＲＣ値が消失されたとみなされるか否かは、例えば、基地局１１０によるデコード可能性、あるいは、予め定めたパラダイム、パターン、プロトコル、信号強度しきい値、その他の考えられる方法に対する比較のようなＤＲＣ値の評価に依存しうる。
【００４４】
現在のＤＲＣ値が消失されていないと基地局１１０がステップ５０２で結論した場合には、現在のＤＲＣ値が有効なものとして扱われ、ステップ５０４で処理される。すなわち、ステップ５０４では、基地局１１０がマッピングツール２２７においてＤＲＣ値をインデクスし、データレートと、ある場合においては、ＤＲＣ値に対応するデータパケットフォーマットとが識別される。次にステップ５０６では、基地局は、加入者局１１４への１又は複数の信号送信のために、マッピングツール２２７からのデータパケットフォーマット及びデータレートを使用する。例えば、ステップ５０４で選択されたデータレート及びデータパケットフォーマットは、与えられたイベントが生じるまで、次のＤＲＣ値あるいはＤＲＣ消失が、加入者局１１４から受け取られる等まで、次に与えられた送信回数のために、所定時間の間、加入者局１１４への次の送信のために使用される。ステップ５０６の後、方法５００は方法５０２に戻り、加入者局１１４から受け取られた（あるいは受け取られることが期待された）次のＤＲＣ値が評価される。
【００４５】
ステップ５０２において、基地局１１０がＤＲＣ消失、すなわち、生じたフィードバックが損傷を受けたことを識別する場合、基地局１１０はステップ５０８を行う。ステップ５０８では、基地局１１０は、消失されたＤＲＣ値が、ある基準を満たすかどうかを判定する。一例として、基地局１１０は、代替データレートがステップ５１０で決定される前に、複数のＤＲＣ消失を必要とするかもしれない。この例では、もしも、予め定めたランレングスの２以上の消失（現在の消失を含む）が生じていないのであれば、代替データレートは決定されない。一方、ステップ５０８において基準が満たされない場合には、基地局１１０は、現在の時間スロットのために、加入者局１１４への順方向リンク送信をスケジューリングしないかもしれない（ステップ５１２）。
【００４６】
ステップ５０２において基地局１１０がＤＲＣ消失を識別し、ステップ５０８においてＤＲＣ消失がある基準を満たすのであれば、基地局１１０は、ステップ５１０を実行する。一般に、基地局１１０は、ステップ５１０において、代替データレートを決定する。オプションである中間ステップとして、基地局１１０は、ステップ５１０において、消失されたＤＲＣ値にとって換わる代替ＤＲＣ値を決定し、マッピングツール２２７を用いて、この代替ＤＲＣ値に対応する代替データレートを識別する。何れの場合も、ステップ５１０の次は、次のＤＲＣ値を評価するステップ５０２に戻る前にステップ５０６に進み、加入者局１１４への１又は複数の信号送信のために、基地局１１０が代替データレートを用いる。この代替データレートは、与えられたイベントが生じるまで、次のＤＲＣ値あるいはＤＲＣ消失が、加入者局１１４から受け取られる等まで、次に与えられた送信回数のために、所定時間の間、加入者局１１４への次の送信のために使用される（ステップ５１０）。
【００４７】
ステップ５１０に対する付け加えとして、データパケットは、マルチユーザパケット、あるいは、マルチユーザパケットとシングルユーザパケットとの組み合わせとしてフォーマットされうる。「シングルユーザ」パケットでは、各パケットは、特定の加入者局１１４に向けられる。「マルチユーザ」パケットは、複数の加入者局１１４のグループに向けられる。マルチユーザパケットは、最大８ユーザに対して、最大８つの高次レイヤパケットを含みうる。規格ＩＳ−８５６  １ｘＥＶ−ＤＯ（改訂Ａ）は、シングルユーザパケットとマルチユーザパケットの詳細を記載する。
【００４８】
ステップ５１０の例では、基地局１１０による加入者局１１４への将来の送信は、シングルユーザパケットとマルチユーザパケットとを適用する。ステップ５１０の別の例では、将来の送信は、マルチユーザパケットのみを利用しうる。何れの場合も、もしもステップ５１０が、実行可能な代替データレートを決定することに成功しないのであれば、加入者局１１４がデータを正しく復号できない場合に、唯一の加入者局１１４に対して限定しているパケットが、送信を無駄にする恐れがあるので、マルチユーザパケットが含まれる。なぜなら、加入者局１１４が、受信したデータパケットを、予め設定されたデータレートで処理（復号）することができるからである。これは、ハードウェア、ファームウェア、あるいは他のデバイス構成によって決定されうる。加入者局１１４は、予め設定されたデータレート（例えば、１ｘＥＶ−ＤＯの改訂Ａに従う）よりも低いデータレートで送信されたパケットをさらに復号するかもしれないが、基地局１１０は、代替データレートが正しくない場合、マルチユーザパケットを利用することによって、幾つかの加入者局１１４に到達する良好なチャンスを未だに有する。
【００４９】
ステップ５１０において代替データレートを決定するための特定の方法を説明する。上述したように、ステップ５１０は、代替データレートを直接的に決定するか、あるいは、代替ＤＲＣ値を中間ステップとして決定し、マッピングして代替データレートを導出することによって実行されうる。一例において、ステップ５１０は、「利用可能な最低の」アプローチを用いて実施される。すなわち、基地局１１０は、ステップ５１０において、利用可能な最低のデータレートを代替データレートに選ぶ。「利用可能」とは、基地局１１０によって認められた適用可能な規格（例えば、ＩＳ−８５６  １ｘＥＶ−ＤＯ改訂Ａ）によって指定される最低レートを称するか、あるいは、加入者局１１４が常に復号を試みるように予めプログラムされた幾つかの予め定めた最小のデータレートを称する。あるいは、「利用可能な最低の」アプローチの下では、基地局１１０は、ステップ５１０において、代替ＤＲＣ値として、利用可能な最低のＤＲＣ値を選択する。このアプローチは保守的であるので、加入者局１１４への通信において成功する可能性が高い。しかしながら、条件が、より高いデータレートを許す場合、基地局１１０は、帯域幅を可能な限り効率的に利用していない。
【００５０】
ステップ５１０の説明を続けると、「最後に知られた」アプローチを用いる別の例が与えられる。ここで、ステップ５１０は、有効なＤＲＣ値から導出された最後のデータレートを選択し、かつ、このデータレートを代替データレートとして使用することによって実施される。あるいは、「最後に知られた」アプローチでは、基地局１１０は、ステップ５１０において、加入者局１１４から受信された最後に知られたＤＲＣ値を用いて、代替ＤＲＣ値にマップする。
【００５１】
上述した「最後に知られた」アプローチは、「良好である」として最近知られたデータレートを利用するものとして有用である。しかしながら、基地局１１０が、加入者局１１４からＤＲＣ消失を受信し続ける場合、チャネル条件が変わりうるので、このアプローチの信頼性は時間にわたって減少し、最後に知られたＤＲＣ値が、まだ正確な値であるという可能性が低下する。従って、これらアプローチに対する拡張として、次の有効なＤＲＣ値が加入者局１１４から受信されるまで、基地局１１０は、規定された関数に従って、代替データレート（又はＤＲＣ値）を減少させうる。そして、その後、ステップ５０６において、その有効なＤＲＣ値を使用する。このアプローチは、チャネル条件が時間にわたって劣化する可能性を予測する。例えば、基地局１１０は、下記のうちの１つのような規定された関数に従って、ステップ５１０で最初に選択された代替データレートを低減しうる。（１）１つの送信当たりの固定インクリメント、又は、可変インクリメント。（２）１つの単位時間当たりの固定インクリメント、又は、可変インクリメント。（３）予めプログラムされた線形数学関数、又は、非線形数学関数。（４）プッシュベース又はプルベースで受信されたネットワークからの命令。（５）動作条件に応答するその他の関数。最後に知られたＤＲＣ値を用いる場合には、基地局１１０は、最初に選択されたＤＲＣ値を低減するために、前述と類似した低減プランを使用しうる。
【００５２】
基地局１１０の少なくとも１つの実施形態では、方法５００は、図６Ａに例示するような個別のスレッド６００を含みうる。基地局１１０は、オプションとして、方法６００を用いて生成された一時的な変数"DRC_TEMP"に基づいて、図５Ａのステップ５１０における代替データレートを決定する。
【００５３】
"DRC_TEMP"は、方法スレッド６００を用いて格納された状態変数であり、各スロット間で、異なる値を示しうる。方法スレッド６００（図６Ａ）は、各スロットについて実行され、変数"DRC_TEMP"を生成しうる。これは、"DRC_TEMP"の値が保持され、全てのスロットが更新されたことを意味する。スレッド６００はステップ６０２で初期化される。また、ＤＲＣが消失したがが、ステップ５０２で判定される。ＤＲＣ値が消失されたと判定された場合には、図５Ａのステップ５１０における代替データレートは、この格納された値"DRC_TEMP"まで下げられる（ステップ６０６）。順方向リンク送信（図５Ａのステップ５１２）がない場合、代替データレートがメモリに格納される（ステップ６１０）。
【００５４】
ステップ５０２において、ＤＲＣが消失されていないと判定された場合、ステップ６０８において、状態変数が再設定される。すなわち、"DRC_TEMP"が、そのスロットで受信されたＤＲＣ値に設定される。従って、基地局１１０は、上述した「最後に知られた」アプローチに関連して使用されるものと類似した予め定めた方法に従って、あるいは、テンポラリな値"DRC_TEMP"に基づいて、代替データレートを変更するオプションを有する。
【００５５】
スレッド６００で決定された値を使用することは、ステップ５１０における「最後に知られた」アプローチ（図５Ａ参照）に基づいて代替データを決定するよりも信頼性が高い。なぜなら、「最後に知られた」アプローチは、ステップ５０８において、ＤＲＣ消失基準を満足することを必要とする時間遅延の原因となるからである（図５Ａ参照）。
【００５６】
ステップ５０６において、「利用可能な最低の」ＤＲＣ値、又は、「最後に知られた」ＤＲＣ値を用いることに対する代替アプローチとして、方法５００は、ステップ５１２においてＤＲＣ消失が生じたかを判定するために使用されるしきい値を緩和しうる。次に、緩和されたしきい値を用いて、ＤＲＣ値を再評価する。これは、最も確からしいＤＲＣ値を生成するために、ＤＲＣ消失しきい値を低下させることにより達成されうる。より具体的には、このＤＲＣ消失しきい値は、単一の有効なＤＲＣ値が、基地局１１０によって生成されるまで低下される。結果として生じたＤＲＣ値は、ステップ５１０において、代替ＤＲＣ値となり、更にこの値が代替データレートにマップされる。
【００５７】
ステップ５１０において代替データレートを決定する別のアプローチが、図７Ａに関連して説明される。このアプローチを使用して、基地局１１０によって決定される代替データレートは、順方向リンク送信が、加入者局１１４によって誤って復号されたか（ＮＡＫを受信したか）、正しく復号された（ＡＣＫを受信したか）データパケットの再送信であるかに基づく。図７Ａに示すように、基地局１１０は、ＤＲＣフィードバック５０１を受け取り、ステップ７０２において、ＡＣＫ／ＮＡＫ消失が生じたかを判定する。ＡＣＫ／ＮＡＫメッセージが消失されたとみなされるか否かは、例えば、基地局１１０によるデコード可能性、あるいは、予め定めたパラダイム、パターン、プロトコル、信号強度しきい値、その他の考えられる方法に対する比較のようなＡＣＫ／ＮＡＫメッセージの評価に依存しうる。
【００５８】
基地局１１０が、ステップ７０２において、現在のＡＣＫ／ＮＡＫメッセージが消失されていると判定した場合、基地局１１０は、図５Ａに関して上述したように、ステップ５１０において代替データレートを決定する。すなわち、基地局１１０は、「利用可能な最低の」データレート、又は「最後に知られた」データレートを決定する。あるいは、基地局１１０は、「利用可能な最低の」ＤＲＣ値、又は「最後に知られた」ＤＲＣ値を決定し、それを、代替データレートにマップする。基地局１１０が、代替データレート又はＤＲＣ値の何れかを決定するために、「最後に知られた」アプローチを用いるのであれば、順方向リンク信号送信を成功させる可能性を高めるために、データレート（又はＤＲＣ値）を時間にわたって減少させうる。基地局１１０は、ＤＲＣ消失が、「利用可能な最低の」アプローチとして、又は「最後に知られた」アプローチとして生じたかを判定するために使用されるしきい値を緩和する。何れの場合であれ、ステップ５１０において、基地局１１０が一旦代替データレートを決定すると、基地局１１０は、加入者局１１４への１又は複数の信号送信において、その代替データレートを用い、図５Ａにおけるステップ５０６に戻る。
【００５９】
基地局１１０がステップ７０２において、現在のＡＣＫ／ＮＡＫメッセージが消失されていないと判定すると、ＡＣＫ／ＮＡＫメッセージは、有効であると扱われ、処理される。ステップ７０４では、基地局１１０が、メッセージがＡＣＫメッセージであるか、またはＮＡＫメッセージであるかを判定する。ＮＡＫメッセージに応じて、基地局１１０は、ステップ７０６において、現在のデータレートを下げ、加入者局１１４への次の順方向リンク送信のために、この下げたデータレートを用い、図５Ａにおけるステップ５０６に戻る。基地局１１０は、現在のデータレートを、代替データレート（又はＤＲＣ値）を決定するための「最後に知られた」アプローチに関して使用されるものに類似した予め定めた方法へ減少させうる。
【００６０】
ＡＣＫメッセージに応じて、基地局１１０は、ステップ７０８において、予め定めた範囲内で代替データレートを決定する。予め定めた範囲は、この例では、最小値として、前の順方向リンク送信を加入者局１１４へ送るために使用されるデータレートと、最大値として、基地局１１０によって受信された最後の有効なＤＲＣ値のためのデータレートとを有する。言い換えれば、基地局１１０は、ＡＣＫメッセージに応じて、順方向リンク送信のデータレートを、基地局１１０によって受信された最後の有効なＤＲＣ値に対応する最大値へ増加させる。その後、基地局１１０は、この増加させたデータレートを、加入者局１１４への次の順方向リンク送信のために使用し、図５Ａのステップ５０６に戻る。
【００６１】
上述した図５Ａ乃至図７Ａの方法は、図５Ｂ乃至図７Ｂに例示するミーンズプラスファンクションブロックに対応させることによって実施されうる。言い換えれば、図５Ａに例示するステップ５０１、５０２、５０４、５０６、５０８、及び５１２は、図５Ｂに例示するミーンズプラスファンクションブロック１５０１、１５０２、１５０４、１５０６、１５０８、１５１０、及び１５１２に対応している。図６Ａに例示するステップ６０２、５０２、６０６、６０８、及び６１０は、図６Ｂに例示するミーンズプラスファンクションブロック１６０２、１５０２、１６０６、１６０８、及び１６１０に対応している。図７Ａに例示するステップ５０１、５０６、５１０、７０２、７０４、７０６、及び７０８は、図７Ｂに例示するミーンズプラスファンクションブロック１５０１、１５０６、１５１０、１７０２、１７０４、１７０６、及び１７０８に対応している。
【００６２】
（他の実施形態）  
前述した開示は、多くの例示的な実施形態を示す一方、特許請求の範囲によって定義されるような本発明の範囲から逸脱することなく、様々な変形及び変更がなされうることが当業者に明らかになるであろう。更に、本発明の要素は、単数で説明又はクレームされているが、単数への限定が明示的に述べられていないのであれば、複数も考慮される。更に、当業者であれば、動作シーケンスが、説明及びクレームの目的のために、与えられた具体的な順で述べられているが、本発明は、そのような具体的な順以外の様々な変更を考慮していることを認識するであろう。
【００６３】
更に、当業者であれば、これら情報および信号が、種々異なった技術や技法を用いて表されることを理解するであろう。例えば、本明細書で参照される任意のデータ、命令、コマンド、情報、信号、ビット、シンボル、およびチップは、電圧、電流、電磁波、磁場または磁性粒子、光学場または光学微粒子、あるいはこれら何れかの組み合わせによって表現されうる。
【００６４】
更に、当業者であれば、本明細書で開示した任意の例示的な論理ブロック、モジュール、回路、処理ステップ、又は、その他の機能が、電子工学ハードウェア、ファームウェア、コンピュータソフトウェア、あるいはこれらの組み合わせとして実現されることを理解するであろう。ハードウェアとソフトウェアとの相互互換性を認識すると、様々に例示されたコンポーネント、ブロック、モジュール、回路、およびステップが、それらの機能に関して一般的に上述された。それら機能がハードウェアとして又はソフトウェアとして実現されているかは、特定のアプリケーション及びシステム全体に課せられている設計制約に依存する。当業者であれば、各特定のアプリケーションに応じて変更した方法で上述した機能を実施しうる。しかしながら、この適用判断は、本発明の範囲から逸脱したものと解釈されるべきではない。
【００６５】
ここで開示された実施形態に関連して記述された様々の説明的論理ブロック、モジュール、および回路は、汎用プロセッサ、デジタル信号プロセッサ（ＤＳＰ）、アプリケーションに固有の集積回路（ＡＳＩＣ）、フィールドプログラマブルゲートアレイ（ＦＰＧＡ）あるいはその他のプログラマブル論理デバイス、ディスクリートゲートあるいはトランジスタロジック、ディスクリートハードウェア部品、又は上述された機能を実現するために設計された上記何れかの組み合わせを用いて実現又は実行されうる。汎用プロセッサとしてマイクロプロセッサを用いることが可能であるが、代わりに、従来技術によるプロセッサ、コントローラ、マイクロコントローラ、あるいは状態機器を用いることも可能である。プロセッサは、たとえばＤＳＰとマイクロプロセッサとの組み合わせ、複数のマイクロプロセッサ、ＤＳＰコアに接続された１つ以上のマイクロプロセッサ、またはこのような任意の構成である計算デバイスの組み合わせとして実現することも可能である。
【００６６】
ここで開示された実施形態に関連して記述された方法やアルゴリズムのステップは、ハードウェアや、プロセッサによって実行されるソフトウェアモジュールや、これらの組み合わせによって直接的に具現化される。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、あるいは当該技術分野で知られているその他の型式の記憶媒体に収納されうる。典型的な記憶媒体は、プロセッサがそこから情報を読み取り、またそこに情報を書き込むことができるようにプロセッサに結合される。または、記憶媒体はプロセッサに統合されうる。このプロセッサと記憶媒体は、ＡＳＩＣ内に存在することができる。ＡＳＩＣは、無線通信デバイス内に存在することもできる。あるいは、このプロセッサと記憶媒体は、無線通信デバイス内のディスクリートなコンポーネントとして存在しうる。
【００６７】
更に、開示された実施形態における上述の記載は、いかなる当業者に対しても、本発明の活用または利用を可能とするように提供される。これらの実施形態への様々な変形例もまた、当業者に対して明らかであって、ここで定義された一般的な原理は、本発明の主旨または範囲を逸脱せずに他の実施形態にも適用されうる。このように、本発明は、ここで示された実施形態に制限されるものではなく、ここで記載された原理と新規の特徴に一致した最も広い範囲に相当するものを意図している。
【００６８】
用語「典型的」（exemplary）は、本明細書では、「例、インスタンス、あるいは実例として役立つ」ことを意味するために使用される。本明細書で「典型的」と記載された何れの実施形態も、他の実施形態に対して好適であるとか、あるいは有利であるとか必ずしも解釈される必要はない。
【図面の簡単な説明】
【００６９】
【図１】図１は、無線通信ネットワークの一例を示す機能ブロック図である。
【図２】図２は、無線通信ネットワークにおける基地局と加入者局との一例を示す機能ブロック図である。
【図３】図３は、無線通信ネットワークにおける基地局コントローラ（ＢＳＣ）と基地局との一例を示す機能ブロック図である。
【図４】図４は、無線通信ネットワークにおける基地局のためのハードウェアコンフィギュレーションの一例を示す機能ブロック図である。
【図５Ａ】図５Ａは、データレート制御（ＤＲＣ）消失に応じて、ネットワークエンティティが、基地局から加入者局への送信のための代替データレートを決定する方法の一例を示すフローチャートである。
【図５Ｂ】図５Ｂは、ＤＲＣ消失に応答した基地局から加入者局への送信のための代替データレートを決定する方法の論理ブロック図である。
【図６Ａ】図６Ａは、図５Ａに示す方法の追加スレッドを例示するフローチャートである。
【図６Ｂ】図６Ｂは、図５Ｂに示す手段の追加スレッドのブロック図である。
【図７Ａ】図７Ａは、加入者局から受信したアクノレッジメント（ＡＣＫ）メッセージに部分的に基づいて、図５Ａにおける代替データレート決定方法を例示するフローチャートである。
【図７Ｂ】図７Ｂは、加入者局から受信したＡＣＫメッセージに部分的に基づく、図５Ｂにおける代替データレート決定手段の論理ブロック図である。
【図１】
2008529452.tif 000003
【図２】
2008529452.tif 000004
【図３】
2008529452.tif 000005
【図４】
2008529452.tif 000006
【図５Ａ】
2008529452.tif 000007
【図５Ｂ】
2008529452.tif 000008
【図６Ａ】
2008529452.tif 000009
【図６Ｂ】
2008529452.tif 000010
【図７Ａ】
2008529452.tif 000011
【図７Ｂ】
2008529452.tif 000012
【国際調査報告】
2008529452.tif 000013
2008529452.tif 000014
2008529452.tif 000015
2008529452.tif 000016
2008529452.tif 000017